(57)【特許請求の範囲】
【請求項１】
スタンスしたときに、打撃するゴルフボールの打ち出し目標方向の前側に位置する肩に取り付けられる第１輪部を有する肩ベルトと、前記目標方向の後ろ側に位置する腕に取り付けられる第２輪部を有する腕ベルトと、前記肩ベルトと前記腕ベルトとを繋ぐ連結ベルトとを備え、
前記肩ベルトは、前記第１輪部と前記第１輪部から余ったベルトである第１余剰部とから形成された第１ベルト部と、前記第１ベルト部と前記連結ベルトとの境界位置となるアジャスタであり、前記第１輪部の大きさを調整し、固定する前記アジャスタとを備え、
前記第１ベルト部と、前記連結ベルトとが連続したベルトにより形成され、
前記アジャスタは、矩形状部材に２本のスリットが形成された枠状部材であり、
前記ベルトが前記連結ベルト側から一方のスリットに入り、他方のスリットから出ることで、他方のスリットから出た長さ分が前記第１ベルト部となり、
前記第１輪部となるベルトが前記他方のスリットから入り、前記一方のスリットから出ることで第１余剰部となり、前記アジャスタの位置が前記第１輪部と前記第１余剰部との境界位置となるものであり、
前記腕ベルトは、前記第２輪部と前記第２輪部から余ったベルトである第２余剰部とから形成された第２ベルト部と、前記第２ベルト部と前記連結ベルトとの境界位置となる凹状部材であり、前記第２ベルト部と前記連結ベルトとを移動自在な前記凹状部材、および前記第２輪部の大きさを調整すると共に、前記第２余剰部の長さを調整し、固定する凸状部材であり、前記凹状部材に嵌合する前記凸状部材を有する差込バックルとを備え、
前記第２ベルト部と、前記連結ベルトとは、連続したベルトにより形成されたゴルフ用練習具。
【請求項２】
前記肩ベルトに滑り止めの肩当てが配置された請求項１記載のゴルフ用練習具。
【発明の詳細な説明】
【技術分野】
【０００１】
本発明は、正しいスイングが体得できるゴルフ用練習具に関するものである。
【背景技術】
【０００２】
ゴルフのスイングは、クラブを握った両手を、テイクバックし、バックスイングした後にダウンスイングし、ボールをインパクトしてフォロースルーするまでの一連の動作によるものである。正しいスイングで動作が行われないと、的確にクラブのフェースにボールを当てることができず、打球がフックしたりスライスしたりする。
このようなゴルフのスイングについて、正しいスイングが練習しながら体得できる従来の練習具が、例えば、特許文献１，２として知られている。
【０００３】
特許文献１に記載のゴルフ練習用具は、締め付けねじにより長さを固定できるロッドにより形成されたスペーサーを、ユニバーサルジョイントにて腕用バンドと肩用バンドに取り付けたものである。
このゴルフ練習用具は、使用者がスタンスしたときに、打撃するゴルフボールの打ち出し目標方向の後ろ側に位置する肩に肩用バンドを取り付け、目標方向の前側に位置する腕に腕用バンドを取り付けてスイングの練習が行われる。
また、特許文献２に記載のゴルフ練習具は、両腕の間隔を一定に保持すべくした左肩から右腕（または、右肩から左腕まで）の位置を決める帯またはひもに腕当てを持つことよるものである。
【先行技術文献】
【特許文献】
【０００４】
【特許文献１】実開平６−７５５４９号公報
【特許文献２】実開昭５７−７０３６９号公報
【発明の概要】
【発明が解決しようとする課題】
【０００５】
特許文献１に記載のゴルフ練習用具は、使用者がスタンスしたときの目標方向の後ろ側に位置する肩（例えば、右肩。）に肩用バンドを取り付け、目標方向の前側に位置する腕（例えば、左腕。）に腕用バンドを取り付けており、その肩用バンドと腕用バンドとの間が、締め付けねじにより長さを固定できるロッドにより連結されている。そのため、バックスイングすると、肩用バンドを取り付けた右肩を中心に左腕が円を描くようにロッドに引かれてスイングすることになるが、ロッドにより右肩と左腕の間隔を変えることができないので、アウトサイドにスイングしてしまうことなる。従って、正確なスイングが再現できない。
【０００６】
特許文献２に記載のゴルフ練習具は、スタンスしたときに後ろ側に位置する左肩に腕当てを、前側に位置する右腕に帯またはひもを回して使用されるため、右腕を後ろ側に振り上げたときに腕から肩側にずれてしまうおそれがあり、練習に支障が出る。
【０００７】
そこで本発明は、正しいスイングを安定して行うことができることで、正しいスイングが体得できるゴルフ用練習具を提供することを目的とする。
【課題を解決するための手段】
【０００８】
本発明のゴルフ用練習具は、スタンスしたときに、打撃するゴルフボールの打ち出し目標方向の前側に位置する肩に取り付けられる第１輪部を有する肩ベルトと、前記目標方向の後ろ側に位置する腕に取り付けられる第２輪部を有する腕ベルトと、前記肩ベルトと前記腕ベルトとを繋ぐ連結ベルトとを備えたことを特徴とする。
【０００９】
本発明のゴルフ用練習具は、肩ベルトの第１輪部を目標方向の前側に位置する肩に取り付け、腕ベルトの第２輪部を目標方向の後ろ側に位置する腕に取り付けることで、スイングしても外れ難くすることができる。本発明のゴルフ用練習具を装着してスイングすると、肩ベルトと腕ベルトとが連結ベルトにより繋がっているため、胴体と両腕とが同時にテイクバックをスタートする。肩ベルトと腕ベルトとの距離が連結ベルトの長さで一定に保たれているので、後ろ側に位置する腕がテイクバックする方向に自由にまたは必要以上に動かすことができないため、胴体および腕が同調して動くことなる。そうすることで、右腕と左腕とによる三角形を維持した状態でテイクバックすると、バックスイングからトップオブスイングに至るまで、肩同士を結ぶ線と目標方向の前側に位置する腕に沿った線とのなす角度が大きく崩れることなく維持しながらスイングすることができる。
【００１０】
前記肩ベルトは、第１ベルト部と、前記第１ベルト部と前記連結ベルトとの境界位置となるアジャスタであり、前記第１輪部の大きさを調整し、固定する前記アジャスタとを備え、前記第１ベルト部と、前記連結ベルトとは、連続したベルトにより形成されたものとすることができる。
アジャスタを通るベルトを送ったり戻したりすることで、アジャスタ上のベルトの位置を変えることができ、第１輪部の長さを調整して、第１輪部の大きさを調整すると共に、第１ベルト部と連結ベルトとの境界位置を調整することができる。
【００１１】
前記腕ベルトは、第２ベルト部と、前記第２ベルト部と前記連結ベルトとの境界位置となる凹状部材であり、前記第２ベルト部と前記連結ベルトとを移動自在な前記凹状部材、および前記第２輪部の大きさを調整し、固定する凸状部材であり、前記凹状部材に嵌合する前記凸状部材を有する差込バックルとを備え、前記第２ベルト部と、前記連結ベルトとは、連続したベルトにより形成されたものとすることができる。
肩ベルトを取り付けた状態で、腕ベルトの第２輪部の大きさと、連結ベルトの長さとを同時に調整することができるので、腕ベルトと連結ベルトとを、素早く使用者の体格にあったものに調整することができる。
【００１２】
前記肩ベルトに滑り止めの肩当てが配置されたものとすることができる。
スイングを繰り返しても、肩ベルトが肩から滑り落ちることが防止でき、肩ベルトの位置が変わってしまうことが防止できるので、肩ベルトから腕ベルトまで距離が変わらないため、安定した練習を続けることができる。
【発明の効果】
【００１３】
本発明のゴルフ用練習具によれば、正しいスイングを安定して行うことができることで、正しいスイングが体得できる。
【図面の簡単な説明】
【００１４】
【図１】本発明の実施の形態に係るゴルフ用練習具を示す斜視図である。
【図２】図１に示すゴルフ用練習具の肩ベルトを説明するための図である。
【図３】図１に示すゴルフ用練習具の腕ベルトを説明するための図である。
【図４】図１に示すゴルフ用練習具を装着した使用者のスタンスを正面から見た図である。
【図５】図１に示すゴルフ用練習具を装着した使用者によるトップオブスイングの状態を正面から見た図である。
【図６】図５に示す使用者によるトップオブスイングの状態を後方から見た図である。
【発明を実施するための形態】
【００１５】
本発明の実施の形態に係るゴルフ用練習具を図面に基づいて説明する。
図１に示すゴルフ用練習具１０は、ゴルフのスイングを練習するときに装着されるものである。図１に示すゴルフ用練習具１０は、肩ベルト２０と、腕ベルト３０と、連結ベルト４０と、肩当て５０とを備えている。
【００１６】
肩ベルト２０は、第１輪部２１ａを有する第１ベルト部２１と、アジャスタ２２とにより形成されている。
腕ベルト３０は、第２輪部３１ａを有する第２ベルト部３１と、図３に示す凹状部材３２１および凸状部材３２２からなる差込バックル３２とから形成されている。
【００１７】
連結ベルト４０は、肩ベルト２０と腕ベルト３０とを繋ぐものであるが、本実施の形態では、連結ベルト４０と第１ベルト部２１とが連続したベルトにより形成され、連結ベルト４０と第２ベルト部３１とが連続したベルトにより形成されていることで、全体が一体的に連続した１本のベルトＢで形成されている。ベルトＢは、柔らかく、高い耐久性を有する布ベルトにより形成することができる。
【００１８】
第１ベルト部２１は、アジャスタ２２によって、第１輪部２１ａが形成されていると共に、余ったベルトが第１余剰部２１ｂとなる。
図２に示すように、アジャスタ２２は、矩形状部材に２本のスリット２２ａ，２２ｂが形成された枠状部材である。
ベルトＢが、連結ベルト４０側から一方のスリット２２ａから入り、他方のスリット２２ｂから出ることで、他方のスリット２２ｂから出た長さ分が第１ベルト部２１となり、アジャスタ２２の位置が第１ベルト部２１と連結ベルト４０との境界位置となる。
また、第１輪部２１ａとなるベルトＢが他方のスリット２２ｂから入り、一方のスリット２２ａから出ることで第１余剰部２１ｂとなり、アジャスタ２２の位置が第１輪部２１ａと第１余剰部２１ｂとの境界位置となる。アジャスタ２２は樹脂製とすることができる。
【００１９】
図３に示すように、第２ベルト部３１は、差込バックル３２によって第２輪部３１ａが形成されていると共に、余ったベルトが第２余剰部３１ｂとなる。
図３に示すように、差込バックル３２は、凹状部材３２１と、凸状部材３２２とを備え、凹状部材３２１に凸状部材３２２に差し込まれ嵌合することで連結するものである。
凹状部材３２１は、ベルトＢを挿通させる矩形状の穴３２１ａと、凸状部材３２２が挿入され、係止する筒部３２１ｂとを備えている。
凸状部材３２２は、凹状部材３２１の筒部３２１ｂに挿入される爪部３２２ａと、凹状部材３２１に係止した爪部３２２ａを離すリリースボタン３２２ｂと、第２輪部３１ａおよび第２余剰部３１ｂとの長さ調整をするためのアジャスタ部３２２ｃとを備えている。差込バックル３２は樹脂製とすることができる。
【００２０】
図１に示すように、肩当て５０は、第１ベルト部２１の第１輪部２１ａに設けられている。肩当て５０は、両端部に形成された２本のスリット５１，５２において、第１ベルト部２１を、一端部側のスリット５１に入れ、反対の他端部側のスリット５２から出すことで、第１ベルト部２１に取り付けられている。肩当て５０は、弾性を有するゴムにより形成することができる。
【００２１】
以上のように構成された本発明の実施の形態に係るゴルフ用練習具１０の動作および使用状態を図面に基づいて説明する。
なお、本明細書では、右打ちの使用者を例に説明する。従って、スタンスしたときに、打撃するゴルフボールの打ち出し目標方向の前側に位置する肩は左肩であり、目標方向の後ろ側に位置する腕は右腕である。
【００２２】
まず、使用者は、図２に示すように、アジャスタ２２を通るベルトＢを、スリット２２ａからスリット２２ｂへ送ったり、スリット２２ｂからスリット２２ａへ戻したりすることで、ベルトＢにおけるアジャスタ２２の位置を変える。そうすることで、第１輪部２１ａと第１余剰部２１ｂとの長さを調整して、第１輪部２１ａの大きさを調整すると共に、第１ベルト部２１と連結ベルト４０との境界位置を調整する。
アジャスタ２２の位置の調整が終われば、使用者は、左肩に肩ベルト２０を通して装着する。
【００２３】
次に、使用者は、図３に示すように、差込バックル３２の凹状部材３２１と凸状部材３２２とを切り離した状態で、延びた第２輪部３１ａと第２余剰部３１ｂを持ち上げ、左腕に巻き付ける。
【００２４】
次に、差込バックル３２の凸状部材３２２におけるアジャスタ部３２２ｃを通るベルトＢを送ったり戻したりすることで、アジャスタ部３２２ｃ上の位置を変える。そうすることで、第２輪部３１ａと第２余剰部３１ｂとの長さが、凸状部材３２２が嵌合する凹状部材３２１の位置が決定されるため、第２輪部３１ａの大きさが調整されると共に、第２ベルト部３１と連結ベルト４０との境界位置が調整される。
そして、凸状部材３２２におけるアジャスタ部３２２ｃの位置が決まると、凸状部材３２２を凹状部材３２１に差し込み、凹状部材３２１をスライドさせることで第２ベルト部３１を使用者の右腕の太さに最適な輪状とする。
そうすることで、凹状部材３２１の位置が、第２ベルト部３１と連結ベルト４０との境界位置となる。従って、第２ベルト部３１の第２輪部３１ａの大きさと、連結ベルト４０の長さとを同時に調整することができる。
【００２５】
このように、図１に示す肩ベルト２０の第１輪部２１ａの大きさをアジャスタ２２により調整できるため、第１輪部２１ａを、簡単に使用者の肩の大きさに応じた大きさとすることができる。
また、肩ベルト２０を取り付けた状態で、腕ベルト３０の第２輪部３１ａの大きさと、連結ベルト４０の長さとを同時に調整することができるので、腕ベルト３０と連結ベルト４０とを、素早く使用者の体格にあったものに調整することができる。
【００２６】
このようにしてゴルフ用練習具１０の準備ができると、図４に示すように使用者は、クラブＣを持ち、スタンスする。そして、使用者は、テイクバックを始める。
ゴルフスイングは一般的には肩、腕がほぼ同時に動き出すが、肩ベルト２０と腕ベルト３０とが連結ベルト４０により繋がっている。そのため、テイクバックのとき、肩ベルト２０を装着した左肩Ｓが使用者の前側から後方へ動き始めると同時に連結ベルト４０で繋がっている腕ベルト３０が余分な動きをせずに移動していく。使用者の左肩Ｓと右腕Ｒとの距離が連結ベルト４０の長さで一定に保たれているので、左腕Ｌがテイクバックするに従って、図５および図６に示すように、自然と左肩Ｓが使用者の中心を軸に内側に回転するのと同調して右腕Ｒが無駄な動きなくバックスイング側へ正しく動いていく。
【００２７】
左腕Ｌのテイクバックに応じて左肩Ｓが内側に入ることで、右腕Ｒと左腕Ｌとによる三角形を維持した状態でテイクバックされる。そうすることで、バックスイングからトップオブスイングに至るまで、両肩を結ぶ線Ｌ１と左腕Ｌに沿った線Ｌ２（図４および図５においては線Ｌ１，Ｌ２を点線にて示す。）とによるなす角度が、大きく崩れることなく維持した状態となる。
従って、トップオブスイングからダウンスイングしてボールをインパクトする際のあらゆるエラー、例えば、トップオブスイング時の下半身のスエーや、オーバースイング、カット打ち、インパクト時の上半身や肩の開き、ヘッドアップ、ダウンスイングからインパクトにかけての右肩の下がり、インパクト時の左肘の引き、などの発生を防止することができる。
【００２８】
このように、ゴルフ用練習具１０を使用することで、左腕Ｌが極端に上がったり、左腕Ｌを前に移動させようとしたりすることが阻害されるので、正しくスイングを安定して行うことができ、練習を繰り返すことで、正しいスイングを体得することができる。また、肩ベルト２０の第１輪部２１ａを左肩Ｓに取り付け、腕ベルト３０の第２輪部３１ａを右腕Ｒに取り付けることで、スイングしても外れ難くすることができる。
【００２９】
しかし、繰り返してスイングしていると、肩ベルト２０が左肩Ｓからずれることがある。そうなると、連結ベルト４０の長さは変わらなくても、肩ベルト２０の位置がずれることにより右腕Ｒまでの距離が変わってしまう。
しかし、ゴルフ用練習具１０は、肩ベルト２０に肩当て５０が設けられているため、肩ベルト２０が左肩Ｓから滑り落ちることが防止でき、肩ベルト２０の位置が変わってしまうことが防止できる。
従って、肩ベルト２０から腕ベルト３０まで距離が変わらないため、安定した練習を続けることができる。
【００３０】
本実施の形態では、右打ちを例に説明したが、使用者が左打ちの場合には、肩ベルト２０は右肩に、腕ベルト３０は左腕に装着することで、同様の効果を得ることができる。
【産業上の利用可能性】
【００３１】
本発明のゴルフ用練習具は、スイングをするときの正しい状態を体得することができるので、初心者からベテランまで、家庭にて使用したり、ゴルフ練習場のレッスンなどで使用したりすることができる。
【符号の説明】
【００３２】
１０  ゴルフ用練習具
２０  肩ベルト
２１  第１ベルト部
２１ａ  第１輪部
２１ｂ  第１余剰部
２２  アジャスタ
２２ａ，２２ｂ  スリット
３０  腕ベルト
３１  第２ベルト部
３１ａ  第２輪部
３１ｂ  余剰部
３２  差込バックル
３２１  凹状部材
３２１ａ  穴
３２１ｂ  筒部
３２２  凸状部材
３２２ａ  爪部
３２２ｂ  リリースボタン
３２２ｃ  アジャスタ部
４０  連結ベルト
５０  肩当て
５１，５２  スリット
Ｂ  ベルト
Ｃ  クラブ
Ｌ  左腕
Ｒ  右腕
Ｓ  左肩
Ｌ１，Ｌ２  線
【要約】
【課題】正しいスイングを安定して行うことができることで、正しいスイングが体得できるゴルフ用練習具を提供する。
【解決手段】ゴルフ用練習具１０は、スタンスしたときに、打撃するゴルフボールの打ち出し目標方向の前側に位置する左肩に取り付けられる第１輪部２１ａを有する肩ベルト２０と、目標方向の後ろ側に位置する右腕に取り付けられる第２輪部３１ａを有する腕ベルト３０と、肩ベルト２０と腕ベルト３０とを繋ぐ連結ベルト４０とを備えている。肩ベルト２０と腕ベルト３０とが連結ベルト４０により繋がっているため、右腕と左腕とによる三角形を維持した状態でテイクバックされると両肩を結ぶ線と左腕に沿った線とのなす角度が大きく崩れることなく維持しながらスイングできる。従って、トップオブスイングからダウンスイングしてボールをインパクトする際のあらゆるエラーの発生を防止することができる。
【選択図】図１【図１】
0006720398.tif 000002
【図２】
0006720398.tif 000003
【図３】
0006720398.tif 000004
【図４】
0006720398.tif 000005
【図５】
0006720398.tif 000006
【図６】
0006720398.tif 000007